(57)【要約】【課題】高さの低い鉢でも陳列できると共に、鉢の高さに合わせて陳列トレイの液面の高さを調整でき、さらに、陳列トレイの構成を簡単にして安価に製造できるようにする。【解決手段】架台１に階段状に配設された陳列トレイ１１，…と、該各陳列トレイ１１，…の底部に設けられたホース１５，…と、架台１の底部に設けられた貯水タンク２０と、貯水タンク２０の水を吸い上げるポンプ２５と、各陳列トレイ１１，…のホース１５，…に設けられた開閉バルブ１６，…とから構成し、貯水タンク２０の水を吸い上げて最上段の陳列トレイ１１に給水した後、下方の各段の陳列トレイ１１，…に給水し、最後に、最下段の陳列トレイ１１のホース１５によって、最下段の陳列トレイ１１の水を貯水タンク２０に戻す。【選択図】　　図１
0003097215.tif 000002
【実用新案登録請求の範囲】
【請求項１】
架台に所定の間隔をおいて上下に複数段配設された陳列トレイと、該各陳列トレイに設けられたホースと、架台の底部に設けられた貯水タンクと、貯水タンクの水を最上段の陳列トレイに吸い上げる吸い上げポンプとを備え、各ホースの開口端部を、最上段及び最下段を除く各段の陳列トレイの上面開口部に位置させると共に、最下段の陳列トレイのホースの開口端部を貯水タンクに導入し、さらに、吸い上げポンプによって吸い上げられた水を最上段の陳列トレイに給水した後、各陳列トレイのホースを介して下方の各段の陳列トレイに順次給水する鉢植え植物陳列棚において、前記各ホースは、各陳列トレイの底部に設けられ、さらに、前記各ホースには、開閉バルブが設けられてなることを特徴とする鉢植え植物陳列棚。
【考案の詳細な説明】
【０００１】
【考案の属する技術分野】
本考案は、架台の底部に設けられた貯水タンクの水を、架台の最上段に配設された陳列トレイに給水した後、下方の各段の陳列トレイに順次給水し、最下段の陳列トレイの水を貯水タンクに戻す鉢植え植物陳列棚に関する。
【０００２】
【従来の技術】
従来のこの種の鉢植え植物陳列棚は、例えば、実開昭６１−１８８４４８号に示すように、架台と、該架台に所定の間隔をおいて上下に複数段配設された陳列トレイと、各陳列トレイに設けられた陳列トレイの側壁の高さよりも低い鉢台と、陳列トレイの側壁、及び、鉢台によって形成された水溜め部と、各陳列トレイの側壁の上端部に設けられた逆Ｕ字形状に折り曲げられたホースと、架台の底部に設けられた貯水タンクと、該貯水タンクの水を吸い上げて上段、中段、下段の陳列トレイに順次給水するための吸い上げポンプとから構成されている。
【０００３】
そして、各陳列トレイは、サイホン式によって給水される。即ち、架台の底部の貯水タンクから吸い上げポンプによって水を吸い上げて、架台の最上段に配設された陳列トレイに給水し、各陳列トレイに給水された水が、水溜め部、鉢台、鉢の底部を浸漬し、さらに陳列トレイの略満水状態になる程度まで溜まった後、逆Ｕ字形状に折り曲げられたホースを介して下方の陳列トレイに給水される。つぎに、下方の陳列トレイに、最上段の陳列トレイと略同じ程度の位置まで水が溜まると、下方の段の陳列トレイに給水され、この繰り返しによって、最下段の陳列トレイまで給水されることになる。続いて、ホースを介して最下段の陳列トレイの水が貯水タンクに戻される。
【０００４】
【考案が解決しようとする課題】
しかしながら、前記鉢植え植物陳列棚の場合、サイホン式であるため、液面が逆Ｕ字形状のホースの曲折部よりも高い位置まで給水されないと機能しない。よって、各陳列トレイは、いずれも略満水状態になるため、高さの低い鉢は陳列できないという問題がある。
【０００５】
しかも、ホースの曲折部が、陳列トレイの側壁の上端部に固定されているため、鉢の高さに合わせて陳列トレイの液面の高さを変えることができないという問題がある。
【０００６】
さらに、陳列トレイに鉢台を設けているため、その分コスト高になるという問題がある。
【０００７】
そこで、本考案は上記問題点に鑑み、高さの低い鉢でも陳列できると共に、鉢の高さに合わせて陳列トレイの液面の高さを調整でき、さらに、陳列トレイの構成を簡単にした安価な鉢植え植物陳列棚を提供することを目的とする。
【０００８】
【課題を解決するための手段】
上記課題を解決するために、本考案の鉢植え植物陳列棚は、請求項１に示す如く、架台に所定の間隔をおいて上下に複数段配設された陳列トレイと、該各陳列トレイに設けられたホースと、架台の底部に設けられた貯水タンクと、貯水タンクの水を最上段の陳列トレイに吸い上げる吸い上げポンプとを備え、各ホースの開口端部を、最上段及び最下段を除く各段の陳列トレイの上面開口部に位置させると共に、最下段の陳列トレイのホースの開口端部を貯水タンクに導入し、さらに、吸い上げポンプによって吸い上げられた水を最上段の陳列トレイに給水した後、各陳列トレイのホースを介して下方の各段の陳列トレイに順次給水する鉢植え植物陳列棚において、前記各ホースは、各陳列トレイの底部に設けられ、さらに、前記各ホースには、開閉バルブが設けられてなるものである。
【０００９】
したがって、各陳列トレイの底部に設けられたホースと、該各ホースに設けられた開閉バルブとによって、鉢の高さに合わせて陳列トレイの液面の高さを調整できようになり、高さの低い鉢でも陳列できると共に、陳列トレイの構成が極めて簡単になり、その分安価に製造できる。
【００１０】
【考案の実施の形態】
本考案の一実施形態につき、図１〜図３を参照して説明する。
本考案の鉢植え植物陳列棚は、移動可能な架台１と、架台１に設けられた複数のトレイガイド１０，…と、各トレイガイド１０，…に階段状に配設された陳列トレイ１１，…と、各陳列トレイ１１，…に設けられたホース１５，…と、架台１の底面枠３に取り付けられた敷き台１７と、該敷き台１７に載置された貯水タンク２０と、該貯水タンク２０の水を吸い上げて上段、中段、下段の陳列トレイ１１，…に順次給水するための吸い上げポンプ２５とから構成されている。
【００１１】
架台１は、開口部が縦長の正面視矩形状の背面枠２と、開口部が横長の平面視矩形状の底面枠３と、開口部が多角形状の左右の側面枠４，４とから構成されている。そして、背面枠２の略中央部には、補強支柱２ａが水平方向に固着されている。しかも、背面枠２の上部が両側面枠４，４の上部から突出しており、背面枠２の上部には、陳列する鉢植え植物の説明などを表示する看板５が取り付けられている。さらに、側面枠４は、上部の水平方向の短尺の上支柱４ａと、底部の水平方向の長尺の下支柱４ｂと、上支柱４ａ及び下支柱４ｂの間に設けられた側支柱４ｃとから構成されている。この側支柱４ｃの上側が、上支柱４ａの前端部から斜め下方に向けて設けられると共に、側支柱４ｃの下側が、傾斜した側支柱４ｃの上側の下端部から上下方向に折り曲げられて下支柱４ｂの前端部に繋がっている。加えて、底面枠３の四隅には、ストッパ付きキャスタ６，…が設けられ、ストッパ付きキャスタ６，…によって、架台１を自由に移動できて所望の位置でセッティングできる。なお、架台１に使用する部材としては、角パイプ、丸パイプ、Ｃ形チャンネルなどの形鋼が選択可能である。
【００１２】
トレイガイド１０，…は、断面がＬ字形状を呈し、左右の側面枠４，４に所定の間隔をおいて上段、中段、下段にそれぞれ配設されている。さらに、上段、中断、下段のトレイガイド１０，…の長さは、順に少しずつ長くなっており、上段のトレイガイド１０が最も短く、下段のトレイガイド１０の長さが最も長くなっている。加えて、下段の左右のトレイガイド１０の長さは、両側面枠４，４の左右の側支柱４ｃ，４ｃと略同じ長さを有し、両側面枠４，４の側支柱４ｃ，４ｃに平行し、且つ、上方に位置している。
【００１３】
陳列トレイ１１，…は、上面開口部が横長の平面視矩形状を呈し、各陳列トレイ１１，…は、その前端部がトレイガイド１０，…の先端部よりも前方に突出して装着されている。さらに、上段、中断、下段の陳列トレイ１１，…が順に少しずつ前方にずらして階段状に配置され、上段の陳列トレイ１１が最も後方に位置し、下段の陳列トレイ１１が最も前方に位置している。加えて、各陳列トレイ１１，…の底部の中央の後側に排水穴１２，…が穿設されている。
【００１４】
ホース１５，…は、基端開口部が、各陳列トレイ１１，…の排水穴１２，…に連通している。さらに、上段の陳列トレイ１１のホース１５の先端開口部が中段の陳列トレイ１１の底部の真上に位置すると共に、中段の陳列トレイ１１のホース１５の先端開口部が下段の陳列トレイ１１の底部の真上に位置している。さらに、下段の陳列トレイ１１のホース１５の先端開口部が貯水タンク２０の天板に貫設されている。加えて、各陳列トレイ１１，…のホース１５，…の基端部には、開閉バルブ１６，…が設けられており、手動で開閉できて、上段の陳列トレイ１１から中段の陳列トレイ１１への給水量と、中段の陳列トレイ１１から下段の陳列トレイ１１への給水量とが調節できるようになっており、下段の陳列トレイ１１の水が貯水タンク２０に戻されるようになっている。
【００１５】
敷き台１７は、架台１の底面枠３の開口部を閉塞するように取り付けられている。さらに、各陳列トレイ１１，…からの水を排水できるようにドレンが設けられている（図示せず）。なお、敷き台１７は、架台１の底面枠３の開口部に着脱可能に嵌め込んでもよいし、溶接によって固定してもよい。
【００１６】
貯水タンク２０は、横長の直方体形状を呈し、図１の正面から見て敷き台１７の後部左側に載置されている。
【００１７】
吸い上げポンプ２５は、敷き台１７の後部右側の角部の取付板２５ａに取り付けられている。そして、吸い上げポンプ２５には、貯水タンク２０の右側面に接続された水平方向の短尺の導水管２６と、架台１の後方に設けられた上下方向の長尺の給水管２７とが接続されている。そして、給水管２７の先端開口部が、上段の陳列トレイ１１の後方から前方に折り曲げられ、上段の陳列トレイ１１の底部の後部右側の真上に位置している。
【００１８】
つぎに鉢植え植物陳列棚の使用態様について説明する。まず、ストッパ付きキャスタ６，…によって架台１を所望の位置に設置し、各陳列トレイ１１，…に植物の植えられた複数の鉢を並べて（図示せず）、貯水タンク２０に所定量の水を貯水する。
【００１９】
つぎに、各陳列トレイ１１，…のホース１５，…の開閉バルブ１６，…を閉じた状態にして、吸い上げポンプ２５を作動させ、貯水タンク２０の水を上段の陳列トレイ１１に給水し、各陳列トレイ１１，…に載置された各鉢の底部が、各陳列トレイ１１，…に給水された水に浸漬する程度の状態にすれば、各鉢の底面の穴から植物に給水される。
【００２０】
そして、３分程度放置した後、上段の陳列トレイ１１のホース１５の開閉バルブ１６を開いて、上段の陳列トレイ１１から中段の陳列トレイ１１へ給水し、前記と同様に、中段の陳列トレイ１１の各鉢の植物に給水を行う。その後、中段の陳列トレイ１１のホース１５の開閉バルブ１６を開いて、下段の陳列トレイ１１の各鉢の植物へ給水を行って、最後に、下段の陳列トレイ１１のホース１５の開閉バルブ１６を開いて貯水タンク２０へ水を戻す。
【００２１】
なお、各陳列トレイ１１，…を給水した際、各ホース１５，…の開閉バルブ１６，…を調整することで、各陳列トレイ１１，…の液面の高さを所望の位置に容易に調整できるようになる。また、架台１の設置された床面、又は該床面に載置されている商品を水で濡らすことがない。
【００２２】
さらに、植物が養分を必要とする場合には、液肥を作って貯水タンク２０に混入し、各陳列トレイ１１，…に給水するようにしてもよい。
【００２３】
なお、前記実施形態の場合、ホース１５の開閉バルブ１６を手動で開閉するようにしたが、各陳列トレイ１１に液面検出センサを取り付けると共に、開閉バルブ１６に電磁弁を使用し、液面検出センサの検知信号に基づいて開閉バルブ１６を自動制御するようにしてもよい。
【００２４】
また、各陳列トレイ１１，…を階段状に配設するようにしたが、架台１を安定した状態で設置できれば、所定の間隔をおいて上下に整列した状態で配設するようにしてもよい。加えて、各陳列トレイ１１，…の上面開口部が平面視矩形状としたが、平面視円形状であってもよい。
【００２５】
さらに、前記実施形態の場合、ホース１５の取付位置を、陳列トレイ１１の底部の中央の後側にしたが、陳列トレイ１１の水を底部から排水できる位置であればよく、ホース１５の位置は適宜変更可能である。
【００２６】
【考案の効果】
以上説明したように、本考案の鉢植え植物陳列棚は、各陳列トレイの底部にホースを設けると共に、各陳列トレイのホースに開閉バルブを設けたため、鉢の高さに合わせて陳列トレイの液面の高さを調整できるようになり、鉢の高さに関係なく自由に陳列できる。さらに、従来のように、鉢台が不要になり、陳列トレイの構成が極めて簡単になって、その分安価に製造できる効果がある。
【図面の簡単な説明】
【図１】本考案の鉢植え植物陳列棚を示した斜視図である。
【図２】図１の側断面図である。
【図３】図１の架台の斜視図である。
【符号の説明】
１　架台
２　背面枠
２ａ　補強支柱
３　底面枠
４　側面枠
４ａ　上支柱
４ｂ　下支柱
４ｃ　側支柱
５　看板
６　ストッパ付きキャスタ
１０　トレイガイド
１１　陳列トレイ
１２　排水穴
１５　ホース
１６　開閉バルブ
１７　敷き台
２０　貯水タンク
２５　吸い上げポンプ
２５ａ　取付板
２６　導水管
２７　給水管
【図１】
0003097215.tif 000003
【図２】
0003097215.tif 000004
【図３】
0003097215.tif 000005